(57)【要約】【課題】特定用途の給湯が使用された場合に貯湯タンクの湯切れを抑制可能な貯湯式給湯装置を提供する。【解決手段】記憶部５０は、給湯に使用された湯量を所定期間学習し、その学習した湯量を過去の使用実績として記憶する。制御部１１は、過去の使用実績に対応する湯量が貯湯タンク４に貯留されるように所定時間に加熱部３を駆動して貯湯タンク４の沸き上げを行う。また、制御部１１は、特定用途検知部としての第２流量カウンタ３１または特定用途スイッチ４６等により特定用途の給湯が行われることが検知されたとき、特定用途の給湯が開始された時の貯湯タンク４の湯量が貯湯タンク４に貯留されるように加熱部３を駆動して貯湯タンク４の湯の沸き上げを行う。【選択図】図４
2018071952.tif 000002
【特許請求の範囲】
【請求項１】
加熱部（３）により沸き上げて貯湯タンク（４）に貯留した湯を給湯に使用することの可能な貯湯式給湯装置であって、
給湯が行われることを検知する給湯検知部（３０）と、
日常用途とは異なる特定用途の給湯が行われることを検知する特定用途検知部（３１、３９、４６）と、
前記貯湯タンクの湯量を検出する残湯量検出部（１３）と、
給湯に使用された湯量を所定期間学習し、その学習した湯量を過去の使用実績として記憶する記憶部（５０）と、
過去の使用実績に対応する湯量が前記貯湯タンクに貯留されるように所定時間に前記加熱部を駆動して前記貯湯タンクの沸き上げを行い、且つ、前記特定用途検知部により特定用途の給湯が行われることが検知されたとき、特定用途の給湯が開始された時の前記貯湯タンクの湯量が前記貯湯タンクに貯留されるように前記加熱部を駆動して前記貯湯タンクの湯の沸き上げを行う制御部（１１）と、を備える貯湯式給湯装置。
【請求項２】
前記制御部は、特定用途の給湯が行われているときに、前記加熱部を駆動して前記貯湯タンクの湯の沸き上げを行う（Ｓ３０）請求項１に記載の貯湯式給湯装置。
【請求項３】
前記制御部は、特定用途の給湯が終了した後も継続して前記加熱部を駆動して前記貯湯タンクの湯の沸き上げを行う請求項１または２に記載の貯湯式給湯装置。
【請求項４】
特定用途に使用される湯が流れる特定給湯回路（８）をさらに備え、
前記特定用途検知部は、前記特定給湯回路を流れる湯の流量を検知する流量カウンタ（３１）、または前記特定給湯回路の湯の流れを検知するフローセンサである請求項１ないし３のいずれか１つに記載の貯湯式給湯装置。
【請求項５】
特定用途に使用される湯が流れる特定給湯回路をさらに備え、
前記特定用途検知部は、前記特定給湯回路を使用した給湯を行うときにユーザが操作する特定用途スイッチ（４６）である請求項１ないし４のいずれか１つに記載の貯湯式給湯装置。
【請求項６】
前記制御部は、前記特定用途スイッチがオンされたときから給湯が自動停止するまでの間、特定用途の給湯が行われていることを検知する請求項５に記載の貯湯式給湯装置。
【請求項７】
前記制御部は、前記特定用途スイッチがオンされたときからオフされるまでの間、特定用途の給湯が行われていることを検知する請求項５に記載の貯湯式給湯装置。
【請求項８】
特定用途に使用される湯が流れる特定給湯回路をさらに備え、
前記特定用途検知部は、前記特定給湯回路を流れる湯の流量を検知する流量カウンタであり、
前記制御部は、前記特定用途検知部により特定用途の給湯が行われることが検知されたとき、特定用途の給湯に使用された湯量を補うように前記加熱部を駆動して前記貯湯タンクの湯の沸き上げを行う（Ｓ６１）請求項１ないし７のいずれか１つに記載の貯湯式給湯装置。
【請求項９】
記憶部は、
前記特定用途検知部により検知される特定用途の給湯が使用頻度および熱量に関する特定使用条件を満たさないとき、特定用途に使用された湯量を過去の使用実績に加えることなく（Ｓ１３０）、
前記特定用途検知部により検知される特定用途の給湯が前記特定使用条件を満たしたとき、特定用途に使用された湯量を過去の使用実績に加えて記憶する（Ｓ１２０）請求項１ないし８のいずれか１つに記載の貯湯式給湯装置。
【請求項１０】
加熱部（３）により沸き上げて貯湯タンク（４）に貯留した湯を給湯に使用することの可能な貯湯式給湯装置であって、
給湯が行われることを検知する給湯検知部（３０）と、
日常用途とは異なる特定用途の給湯が行われることを検知する特定用途検知部（３１、３９、４６）と、
前記貯湯タンクの湯量を検出する残湯量検出部（１３）と、
給湯に使用された湯量を所定期間学習し、その学習した湯量を過去の使用実績として記憶する記憶部（５０）と、
過去の使用実績に対応する湯量が前記貯湯タンクに貯留されるように所定時間に前記加熱部を駆動して前記貯湯タンクの沸き上げを行う制御部（１１）と、を備え、
前記記憶部は、
前記特定用途検知部により検知される特定用途の給湯が使用頻度および熱量に関する特定使用条件を満たさないとき、特定用途に使用された湯量を過去の使用実績に加えることなく（Ｓ１３０）、
前記特定用途検知部により検知される特定用途の給湯が前記特定使用条件を満たしたとき、特定用途に使用された湯量を過去の使用実績に加えて記憶する（Ｓ１２０）、貯湯式給湯装置。
【請求項１１】
前記特定使用条件は、特定用途の給湯回数が所定回数より多いこと、特定用途の給湯日数が所定日数より多いこと、または、特定用途の給湯に使用した熱量が所定の熱量より多いこと、のうち少なくとも１つである請求項１０に記載の貯湯式給湯装置。
【請求項１２】
特定用途の給湯が行われていることを表示する表示部（５３）を備える請求項１ないし１１のいずれか１つに記載の貯湯式給湯装置。
【請求項１３】
前記貯湯タンクの湯の沸き上げが行われていることを表示する表示部を備える請求項１ないし１２のいずれか１つに記載の貯湯式給湯装置。
【請求項１４】
特定用途の給湯が前記特定使用条件を満たしたか否かを表示する表示部を備える請求項９ないし１１のいずれか１つに記載の貯湯式給湯装置。
【発明の詳細な説明】
【技術分野】
【０００１】
本発明は、貯湯式給湯装置に関するものである。
【背景技術】
【０００２】
従来、加熱部により沸き上げた湯を貯湯タンクに貯め、その貯湯タンクに貯めた湯または湯熱を給湯などに使用することの可能な貯湯式給湯装置が知られている。一般に、貯湯式給湯装置は、例えば過去１−２週間といった所定期間に給湯に使用された湯の使用実績に基づき、その平均値および偏差などを考慮した上で、電気料金の安い深夜時間帯に行う１日分の湯の沸き上げ量および湯温を決定している。なお、以下の説明では、湯または湯熱を総称して「湯」ということがある。
【０００３】
特許文献１に記載の貯湯式給湯装置は、風呂の湯張り、シャワー、炊事など給湯の利用目的ごとに回数または人数を入力することが可能なリモコンを備えている。この貯湯式給湯装置は、リモコンに入力された給湯の利用目的ごとの回数または人数と、その利用目的ごとに記憶された過去の湯の使用実績とに基づき、当日のうちに必要な湯量を算出し、沸き上げることが可能である。これにより、この貯湯式給湯装置は、来客時などに、当日のうちに使用する貯湯タンクの湯が不足するいわゆる湯切れが生じることを抑制すると共に、貯湯タンクに沸き上げた湯が無駄になることを抑制するものである。
【先行技術文献】
【特許文献】
【０００４】
【特許文献１】特許第４９６７７７号公報
【発明の概要】
【発明が解決しようとする課題】
【０００５】
しかしながら、特許文献１に記載の貯湯式給湯装置は、リモコンに入力された回数または人数と、過去の利用目的ごとの湯の使用実績とに基づいて算出した湯量を超えて、湯が特定用途に突発的に大量に使用された場合について考慮されていない。そのように湯が大量に使用された場合には、当日のうちに貯湯タンクの湯切れが生じるという問題がある。
【０００６】
また、特許文献１に記載の貯湯式給湯装置は、そのように湯が特定用途に大量に使用された場合の翌日以降の湯の使用実績について考慮されていない。そのため、その大量に使用された湯量が翌日以降の湯の使用実績に反映されると、翌日以降に貯湯タンクに沸き上げた湯が無駄になるといった問題もある。
【０００７】
本発明は上記点に鑑みて、特定用途の給湯が使用された場合に貯湯タンクの湯切れを抑制可能な貯湯式給湯装置を提供することを目的とする。
【課題を解決するための手段】
【０００８】
上記目的を達成するため、請求項１に記載の発明は、加熱部（３）により沸き上げて貯湯タンク（４）に貯留した湯を給湯に使用することの可能な貯湯式給湯装置であって、
給湯が行われることを検知する給湯検知部（３０）と、
日常用途とは異なる特定用途の給湯が行われることを検知する特定用途検知部（３１、３９、４６）と、
貯湯タンクの湯量を検出する残湯量検出部（１３）と、
給湯に使用された湯量を所定期間学習し、その学習した湯量を過去の使用実績として記憶する記憶部（５０）と、
過去の使用実績に対応する湯量が貯湯タンクに貯留されるように所定時間に加熱部を駆動して貯湯タンクの沸き上げを行い、且つ、特定用途検知部により特定用途の給湯が行われることが検知されたとき、特定用途の給湯が開始された時の貯湯タンクの湯量が貯湯タンクに貯留されるように加熱部を駆動して貯湯タンクの湯の沸き上げを行う制御部（１１）と、を備える。
【０００９】
これによれば、制御部は、過去の使用実績に対応する湯量に基づく貯湯タンクの沸き上げを所定時間に行うので、当日の日常用途に使用する湯量が貯湯タンクに確保される。ここで、日常用途とは異なる特定用途の給湯が行われると、当日の日常用途に使用する湯量が貯湯タンクに不足することが考えられる。そこで、制御部は、特定用途の給湯が行われることが検知されたとき、貯湯タンクの湯の沸き上げを行い、特定用途の給湯が開始された時の貯湯タンクの湯量に貯湯タンクの湯量を戻す。これにより、特定用途の給湯が行われた場合でも、その後、当日のうちに日常用途に使用する湯量が貯湯タンクに確保される。したがって、この貯湯式給湯装置は、特定用途の給湯が使用された当日に、貯湯タンク内の湯が不足するいわゆる湯切れを抑制することができる。
【００１０】
請求項１０に記載の発明は、加熱部（３）により沸き上げて貯湯タンク（４）に貯留した湯を給湯に使用することの可能な貯湯式給湯装置であって、
給湯が行われることを検知する給湯検知部（３０）と、
日常用途とは異なる特定用途の給湯が行われることを検知する特定用途検知部（３１、３９、４６）と、
貯湯タンクの湯量を検出する残湯量検出部（１３）と、
給湯に使用された湯量を所定期間学習し、その学習した湯量を過去の使用実績として記憶する記憶部（５０）と、
過去の使用実績に対応する湯量が貯湯タンクに貯留されるように所定時間に加熱部を駆動して貯湯タンクの沸き上げを行う制御部（１１）と、を備え、
記憶部は、
特定用途検知部により検知される特定用途の給湯が使用頻度および熱量に関する特定使用条件を満たさないとき、特定用途に使用された湯量を過去の使用実績に加えることなく（Ｓ１３０）、
特定用途検知部により検知される特定用途の給湯が特定使用条件を満たしたとき、特定用途に使用された湯量を過去の使用実績に加えて記憶する（Ｓ１２０）。
【００１１】
これによれば、特定用途の給湯の使用が低頻度である場合や湯量が少ない場合、その湯量を過去の使用実績に加えないことで、翌日以降に貯湯タンクに沸き上げた湯が無駄になることを防ぐことができる。一方、特定用途の給湯の使用が高頻度であり且つ湯量が多い場合、その湯量を過去の使用実績に加えて記憶することで、翌日以降に貯湯タンクに湯切れが生じることを抑制することができる。したがって、この貯湯式給湯装置は加熱部による貯湯タンクの湯の沸き上げ量を適切なものとすることができる。
【００１２】
なお、上記各手段の括弧内の符号は、後述する実施形態に記載の具体的手段との対応関係の一例を示すものである。
【図面の簡単な説明】
【００１３】
【図１】第１実施形態における貯湯式給湯装置の構成を示す図である。
【図２】湯式給湯装置が家屋に設置された状態を示す模式図である。
【図３】湯式給湯装置のブロック図である。
【図４】貯湯式給湯装置の沸き上げ制御に関するフローチャートである。
【図５】貯湯式給湯装置の沸き上げ制御を説明するための説明図である。
【図６】貯湯式給湯装置の過去の使用実績の記憶制御に関するフローチャートである。
【図７】第２実施形態における貯湯式給湯装置の沸き上げ制御に関するフローチャートである。
【発明を実施するための形態】
【００１４】
以下、本発明の実施形態について図に基づいて説明する。
【００１５】
（第１実施形態）
第１実施形態について図面を参照しつつ説明する。本実施形態の貯湯式給湯装置は、貯湯タンクに貯めた湯を、例えばシャワーまたは炊事などの日常用途の給湯に用いることが可能であると共に、例えば屋外での洗車またはレジャー用品の洗浄など、日常用途とは異なる特定用途に用いることも可能なものである。ここで、特定用途とは、個々のユーザにとって日常的には使われない用途をいう。例えば、風呂の湯張りは、ユーザが日常的に湯張りを行う場合には日常用途に含まれるが、ユーザが日常的に湯張りを行わない場合には特定用途に含まれるといえる。
【００１６】
まず、貯湯式給湯装置１の構成について、図１を参照して説明する。なお、図１は、貯湯式給湯装置１の一例を示したものであり、貯湯式給湯装置１の構成は、これに限定されるものではない。
【００１７】
貯湯式給湯装置１は、貯湯ユニット２および加熱部３などを備えている。貯湯ユニット２は、貯湯タンク４、沸上回路５、総合給湯回路６、日常給湯回路７、特定給湯回路８、風呂湯張り回路９、追い焚き回路１０および制御部１１などから構成されている。
【００１８】
貯湯タンク４は、湯および水を貯めることが可能な容器である。貯湯タンク４には、貯湯タンク４の底部に接続する市水流入管１２から市水が供給される。貯湯タンク４の内側は、湯と水で満たされている。貯湯タンク４は、耐食性に優れた金属容器の外側に断熱材が設けられたものであり、高温の湯を長時間にわたり保温することが可能である。
【００１９】
貯湯タンク４の内側には、複数個の温度センサ１３が設けられている。複数個の温度センサ１３は、例えばサーミスタであり、貯湯タンク４の高さ方向に所定の間隔をあけて配置されている。温度センサ１３の出力信号は、制御部１１に入力される。制御部１１は、各温度センサ１３の出力信号に基づき、貯湯タンク４の内側にそれぞれの温度センサ１３が取り付けられた水位ごとの湯または水の温度を検出する。これにより、制御部１１は、貯湯タンク４の内側に貯められている湯量（すなわち残湯量）を検出することが可能である。すなわち、貯湯タンク４の内側に設けられた複数個の温度センサ１３は、貯湯タンク４に貯められている湯量を検出する残湯量検出部として機能する。
【００２０】
なお、本明細書において、「湯」とは、日常用途の給湯または特定用途の給湯に使用することの可能な温度以上のものをいう。その温度は、用途に応じて適宜設定することが可能である。以下の説明では、残湯量検出部が検出した残湯量を、単に、貯湯タンク４の湯量ということもある。
【００２１】
また、制御部１１は、貯湯タンク４内に複数の温度センサ１３が取り付けられた各水位間にある湯の容量と、複数の温度センサ１３から得られた温度情報に基づき、貯湯タンク４内の湯熱量を算出することも可能である。
【００２２】
沸上回路５は、貯湯タンク４の底部と上部とを接続する配管１４と、その配管１４の途中に設けられたポンプ１５などから構成されている。沸上回路５の配管１４は、加熱部３に接続されている。以下の説明では、沸上回路５の配管１４のうち、加熱部３より上流側の配管を上流沸上配管１４１といい、加熱部３より下流側の配管を下流沸上配管１４２という。
【００２３】
加熱部３は、電力により湯を加熱するヒートポンプユニットである。加熱部３としてのヒートポンプユニットは、周知のヒートポンプサイクル１６を有している。ヒートポンプサイクル１６は、電力により駆動する圧縮機１７により、空気から吸熱した冷媒を圧縮して熱をつくるものである。貯湯タンク４の底部から取り出されて上流沸上配管１４１を流れる水は、加熱部３内の熱交換器１８を流れる際にヒートポンプサイクル１６を流れる冷媒と熱交換することで加熱される。その加熱によりできた湯は、下流沸上配管１４２を流れ、沸上三方弁１９を経由して貯湯タンク４の上部に戻される。これにより、貯湯タンク４内の湯量が増加する。
【００２４】
なお、加熱部３が駆動を開始した直後の所定時間は、ヒートポンプサイクル１６を流れる冷媒の圧縮比が小さいために、沸上回路５の配管を流れる水を十分に加熱できないことがある。この場合、下流沸上配管１４２を流れる水は、沸上三方弁１９から戻り配管２０を流れ、下流沸上配管１４２に戻される。
【００２５】
総合給湯回路６は、貯湯タンク４の湯を、日常給湯回路７、特定給湯回路８または風呂湯張り回路９に供給するための給湯回路である。総合給湯回路６では、貯湯タンク４の上部に接続する湯配管２１を流れる湯と、貯湯タンク４の高さ方向中間位置に接続する中温水配管２２を流れる中温水とが中温水混合弁２３にて混合される。次に、その湯は、給湯混合弁２４にて市水流入管１２から分岐した配管２５を流れる市水と混合された後、日常給湯回路７および特定給湯回路８に供給される。
【００２６】
日常給湯回路７の先端に設けられた日常給湯口２６には、配管２７（図２参照）が接続される。その配管２７を流れる湯は、例えば図示していない浴室のシャワーまたは炊事用の蛇口などに供給される。すなわち、日常給湯回路７には、日常用途の給湯に用いられる湯が流れる。
【００２７】
一方、特定給湯回路８の先端に設けられた特定給湯口２８には、図示していないホースなどが接続される。そのホースを用いて例えば屋外での洗車またはレジャー用品の洗浄などを行うことが可能である。すなわち、特定給湯回路８には、特定用途の給湯に用いられる湯が流れる。
【００２８】
総合給湯回路６のうち日常給湯回路７および特定給湯回路８との分岐箇所２９より給湯混合弁２４側の位置に、給湯検知部としての第１流量カウンタ３０が設けられている。第１流量カウンタ３０は、総合給湯回路６を流れる湯の流量に対応する信号を出力する。第１流量カウンタ３０の出力信号は、制御部１１に入力される。制御部１１は、第１流量カウンタ３０の出力信号に基づき、給湯が行われること、および、その給湯に使用される湯の流量を検出する。
【００２９】
また、特定給湯回路８にも、第２流量カウンタ３１が設けられている。第２流量カウンタ３１は、特定給湯回路８を流れる湯の流量に対応する信号を出力する。第２流量カウンタ３１の出力信号は、制御部１１に入力される。制御部１１は、第２流量カウンタ３１の出力信号に基づき、特定用途の給湯が行われること、および、その特定用途の給湯に使用される湯の流量を検出する。
【００３０】
すなわち、第２流量カウンタ３１は、特定用途の給湯が行われることを検出するための特定用途検知部として機能する。
【００３１】
なお、制御部１１は、総合給湯回路６を流れる湯の流量と、特定給湯回路８を流れる湯の流量との差から、日常給湯回路７を流れる湯の流量を検出することが可能である。すなわち、制御部１１は、第１流量カウンタ３０の出力信号と第２流量カウンタ３１の出力信号とに基づき、日常用途の給湯が行われること、および、その日常用途の給湯に使用される湯の流量を検出することが可能である。
【００３２】
また、特定給湯回路８、日常給湯回路７および市水流入管１２にはそれぞれ、温度センサ４７、４８、４９が設けられている。温度センサ４７、４８、４９の検出した信号は、制御部１１に入力される。
【００３３】
上述した特定用途検知部として、第２流量カウンタ３１に代えて、図示していないフローセンサを取り付けることも可能である。フローセンサは、特定給湯回路８に湯が流れているか否かに応じた信号を出力する。フローセンサの出力信号は、制御部１１に入力される。制御部１１は、フローセンサの出力信号に基づき、特定用途の給湯が行われることを検出し、その特定給湯回路８に湯が流れている時間から特定給湯回路８を流れる湯の流量を推定することが可能である。この場合、フローセンサは、特定用途の給湯が行われることを検出するための特定用途検知部として機能する。
【００３４】
なお、上述した給湯検知部として、第１流量カウンタ３０に代えて、フローセンサを取り付けることも可能である。その作用は、特定給湯回路８に設けられるフローセンサと同様である。
【００３５】
また、総合給湯回路６が備える中温水混合弁２３において湯配管２１を流れる湯と中温水配管２２を流れる中温水とが混合された湯は、次に、風呂用混合弁３２にて市水流入管１２から分岐した配管３３を流れる市水と混合され、風呂湯張り回路９に供給される。風呂湯張り回路９を流れる湯は、風呂用電磁弁３４を通り、風呂往き配管３５および風呂戻り配管３６から浴槽３７に出湯する。これにより、浴槽３７の湯張りが行われる。風呂戻り配管３６には、浴槽３７の水位を検出するための水位センサ３８が設けられている。
【００３６】
風呂湯張り回路９にも、第３流量カウンタ３９が設けられている。第３流量カウンタ３９は、風呂湯張り回路９を流れる湯の流量に対応する信号を出力する。第３流量カウンタ３９の出力信号は、制御部１１に入力される。制御部１１は、第３流量カウンタ３９の出力信号に基づき、風呂の湯張りが行われること、および、その風呂の湯張りに使用される湯の流量を検出する。すなわち、ユーザにとって風呂の湯張りが特定用途に含まれる場合、第３流量カウンタ３９は、特定用途の給湯が行われることを検出するための特定用途検知部として機能する。
【００３７】
追い焚き回路１０は、貯湯タンク４の湯と、浴槽３７の浴槽水との熱交換を行うための回路である。貯湯タンク４の上部に接続する配管４０を流れる湯は、沸上三方弁１９を経由して追焚用熱交換器４１およびポンプ４２を通り、貯湯タンク４の中間部に戻される。上述した沸上回路５の下流沸上配管１４２も、追焚用熱交換器４１に接続されている。そのため、加熱部３で加熱された湯を、貯湯タンク４を介することなく、下流沸上配管１４２から追焚用熱交換器４１に流すことも可能である。
【００３８】
一方、浴槽３７の浴槽水は、追い焚き回路１０の配管４３に設けられたポンプ４４の駆動により、風呂戻り配管３６から追い焚き回路１０の配管４３を流れ、追焚用熱交換器４１を通り、風呂往き配管３５から浴槽３７に戻される。浴槽水は、追焚用熱交換器４１を流れる際、貯湯タンク４から流れる湯と熱交換することにより加熱される。これにより、風呂の追い焚きが行われる。
【００３９】
図２に示すように、貯湯ユニット２および加熱部３は、一般に家屋４５の屋外に設置される。貯湯ユニット２が備える日常給湯回路７の日常給湯口２６に接続される配管２７は、例えば家屋４５の地下を通り、家屋４５内に引き込まれる。その配管２７を流れる湯は、例えば浴室のシャワーまたは炊事など日常用途の給湯に用いられる。
【００４０】
一方、貯湯ユニット２の特定給湯回路８の特定給湯口２８は、例えば貯湯ユニット２と共に屋外に設置される。特定給湯口２８には、例えば図示していないホースなどが接続される。特定給湯口２８に接続されたホースを流れる湯は、例えば屋外での洗車、またはバーベキューコンロなどのレジャー用品の洗浄など、日常用途とは異なる特定用途に用いられる。一般に、そのような特定用途の給湯は、突発的に使用されるものであり、かつ、大量の湯が使用されるものである。
【００４１】
貯湯ユニット２の特定給湯口２８の近傍には、特定用途スイッチ４６が設置されている。特定用途スイッチ４６は、特定給湯回路８を使用した給湯を行うときにユーザが操作するスイッチである。ユーザが特定用途スイッチ４６をオンすると、特定給湯回路８の給湯が開始される。ユーザが特定用途スイッチ４６をオフすると、特定給湯回路８の給湯が停止する。
【００４２】
特定用途スイッチ４６のオンオフ信号は、制御部１１に入力される。その場合、制御部１１は、その特定用途スイッチ４６がオンされてからオフされるまでの間、特定用途の給湯が行われることを検出する。
【００４３】
なお、特定給湯回路８の給湯は、ユーザが特定用途スイッチ４６をオンしてから所定時間経過後に自動的に停止する定量止水式としてもよい。その場合、制御部１１は、特定用途スイッチ４６がオンされてから給湯が自動停止するまでの間、特定用途の給湯が行われていることを検出する。すなわち、特定用途スイッチ４６は、特定用途の給湯が行われていることを検出するための特定用途検知部として機能することが可能である。
【００４４】
制御部１１は、ＣＰＵ、ＲＡＭまたはＲＯＭなどを有するマイクロコンピュータを主体に構成されている。制御部１１と共に設けられたＲＡＭまたはＲＯＭなどの記憶部５０には、予め設定された制御プログラムや更新可能な制御プログラムが格納されている。制御部１１は、記憶部５０に格納された制御プログラムに基づき、貯湯ユニット２および加熱部３の各部を制御する。
【００４５】
図３に示すように、制御部１１には、貯湯タンク４等に設けられた温度センサ１３からの温度情報、並びに、各配管に設けられた流量カウンタ３０、３１、３９またはフローセンサからの流量情報などが入力される。さらに、制御部１１には、台所または浴室などに設置されたリモコン５１から送信される操作信号、スマートフォン、タブレット端末などの通信機器５２から送信される操作信号、または、特定用途スイッチ４６から送信される操作信号が入力される。リモコン５１、通信機器５２および特定用途スイッチ４６は、ユーザが操作可能な操作機器の一例である。リモコン５１および通信機器５２には、表示部としてのモニタ５３が設けられている。
【００４６】
記憶部５０は、例えば過去１−２週間といった所定期間に給湯に使用された湯量を学習し、平均値や偏差などを考慮した上で、その学習した湯量を過去の使用実績として記憶する。その過去の使用実績に基づき、１日分の湯の沸き上げ量および湯温が決定される。制御部１１は、過去の使用実績に対応した１日分の湯の沸き上げ量が貯湯タンク４に貯留されるように、所定時間に加熱部３を駆動して貯湯タンク４の沸き上げを行う。なお、一般に、制御部１１が貯湯タンク４の沸き上げを行う所定時間は、電気料金の安い深夜時間帯に設定される。
【００４７】
次に、制御部１１による貯湯タンク４の沸き上げ制御について、図４のフローチャートを参照して説明する。
【００４８】
ステップＳ１０で、制御部１１は、特定用途の給湯が開始することを検出する。制御部１１は、特定用途の給湯が開始することを、特定給湯回路８に設けられた第２流量カウンタ３１またはフローセンサから入力される信号、あるいは、特定用途スイッチ４６から入力されるオン信号により検出することが可能である。なお、ユーザにとって風呂の湯張りが特定用途に含まれる場合、制御部１１は、特定用途の給湯が開始することを、第３流量カウンタ３９から入力される信号により検出することが可能である。なお、ここでいう特定用途の給湯は、後述するステップＳ１２０で過去の使用実績に加えたものを除いた給湯である。
【００４９】
制御部１１は、特定用途の給湯が開始されたことを、リモコン５１および通信機器５２に設けられた表示部としてのモニタ５３に表示する。
【００５０】
次に、ステップＳ２０で、制御部１１は、貯湯タンク４の内側に設けられた複数個の温度センサ１３の出力信号に基づき、特定用途の給湯開始時における貯湯タンク４の残湯量を検出する。制御部１１により検出された貯湯タンク４の残湯量は、記憶部５０に記憶される。このときの貯湯タンク４の残湯量は、過去の使用実績に基づいて決定された当日分の湯の沸き上げ量のうち、特定用途の給湯開始時刻以降に日常用途の給湯に使用することが予定されている湯量に相当するものであるといえる。
【００５１】
続いて、ステップＳ３０で、制御部１１は、加熱部３を駆動し、貯湯タンク４の湯の沸き上げを開始する。なお、制御部１１は、特定用途の給湯が行われることを検出した直後に加熱部３を駆動してもよく、或いは、特定用途の給湯が行われることを検出した後、所定時間経過後に加熱部３を駆動してもよい。
【００５２】
特定用途の給湯が行われることを検出した直後に加熱部３を駆動すれば、貯湯タンク４の残湯量が少ない場合でも、貯湯タンク４の湯切れを防ぐことができる。一方、特定用途の給湯が行われることが検出されてから所定時間経過後に加熱部３を駆動すれば、貯湯タンク４の残湯量に余裕があり、且つ、特定用途の給湯量が少ない場合には、加熱部３に消費されるエネルギを低減することが可能である。
【００５３】
制御部１１は、加熱部３が駆動し、それにより貯湯タンク４の湯の沸き上げが行われていることを、リモコン５１および通信機器５２に設けられた表示部としてのモニタ５３に表示する。
【００５４】
次に、ステップＳ４０で、制御部１１は、特定用途の給湯が終了したか否かを検出する。制御部１１は、特定用途の給湯が終了したことを、特定給湯回路８に設けられた第２流量カウンタ３１またはフローセンサからの信号の停止、あるいは、特定用途スイッチ４６から入力されるオフ信号により検出することが可能である。なお、特定給湯回路８の給湯が定量止水式である場合、制御部１１は特定用途スイッチ４６がオンされてから自動停止までの時間を計測することにより、特定用途の給湯が終了したことを検出する。
【００５５】
また、ユーザにとって風呂の湯張りが特定用途に含まれる場合、制御部１１は、特定用途の給湯が終了したことを、第３流量カウンタ３９からの信号の停止により検出することが可能である。制御部１１は、特定用途の給湯が終了したことを検知すると、処理をステップＳ５０に移行する。なお、制御部１１は、特定用途の給湯が終了した後も、継続して加熱部３を駆動し、貯湯タンク４の湯の沸き上げを行う。
【００５６】
ステップＳ５０で、制御部１１は、特定用途の給湯開始時から終了時までの間に特定用途の給湯に使用された湯熱量を検出する。その湯熱量は、特定用途の給湯に使用された湯の温度と市水流入管１２から貯湯タンク４に供給された水の温度との差に対し、特定用途の給湯に使用された湯量を積算した値に基づいて算出される。なお、特定用途の給湯に使用された湯の温度は、特定給湯回路８に設けられた温度センサ４７の出力信号に基づいて検出される。市水流入管１２から貯湯タンク４に供給された水の温度は、市水流入管１２設けられた温度センサ４９の出力信号に基づいて検出される。特定用途の給湯に使用された湯量は、特定給湯回路８に設けられた第２流量カウンタ３１の出力信号に基づいて検出される。したがって、制御部１１は、特定用途の給湯開始時から終了時までの間に特定用途の給湯に使用された湯熱量を検出することが可能である。
【００５７】
このステップＳ５０で算出した湯熱量は、翌日以降の湯の沸き上げ量および湯温の設定に利用される。
【００５８】
続いて、ステップＳ６０で、制御部１１は、貯湯タンク４の内側に設けられた複数個の温度センサ１３の出力信号に基づき、現時点における貯湯タンク４の湯量を検出する。そして、制御部１１は、その現時点における貯湯タンク４の湯量が、ステップＳ２０で検出した特定用途の給湯開始時における貯湯タンク４の残湯量以上であるか否かを判定する。
【００５９】
図５では、貯湯タンク４の残湯量を模式的に示している。図５では、貯湯タンク４に貯められた湯および水のうち、日常用途の給湯または特定用途の給湯に使用することの可能な温度以上の湯にハッチを付して示している。
【００６０】
図５（Ａ）は、特定用途の給湯開始時における貯湯タンク４の残湯量を模式的に示している。図５（Ｂ）は、特定用途の給湯終了時における貯湯タンク４の残湯量を模式的に示している。
【００６１】
上述したように、制御部１１は、特定用途の給湯が終了した後も継続して加熱部３を駆動し、貯湯タンク４の湯の沸き上げを行う。図５（Ｃ）は、特定用途の給湯が終了した時刻から所定時間経過後の貯湯タンク４の残湯量を模式的に示している。図５（Ｃ）で示した貯湯タンク４の残湯量は、図５（Ａ）で示した特定用途の給湯開始時における貯湯タンク４の残湯量とほぼ同じとなっている。上述したステップＳ６０において、制御部１１は、図５（Ｃ）で示したように、現時点の貯湯タンク４の残湯量が、特定用途の給湯開始時における貯湯タンク４の残湯量と同じか又はそれ以上となると、処理をステップＳ７０に移行する。
【００６２】
ステップＳ７０で、制御部１１は、加熱部３の駆動を停止する。これにより、貯湯タンク４には、特定用途の給湯が開始された時の貯湯タンク４の残湯量が貯留された状態となる。したがって、当日のうちに日常用途に使用する湯量が貯湯タンク４に確保されるので、貯湯タンク４の湯切れが抑制される。
【００６３】
続いて、記憶部５０による翌日以降の湯の沸き上げ量および湯温の設定について、図６のフローチャートを参照して説明する。
【００６４】
記憶部５０は、給湯に使用された湯量を所定期間学習し、その学習した湯量を過去の使用実績として記憶するものである。
【００６５】
ステップＳ１１０で、記憶部５０は、ステップＳ１０で検出した特定用途の給湯が、特定使用条件を満たしているか否かを判定する。特定使用条件とは、使用頻度および熱量に関する条件であり、ここでは、特定用途の給湯日数が所定日数以上であることをその条件とする。所定日数は、任意に設定することが可能である。なお、特定用途の給湯日数が所定日数以上であるとは、特定用途の給湯日数が連続して所定日数以上であってもよく、または、所定期間内における特定用途の給湯日数が所定日数以上であってもよい。記憶部５０は、特定用途の給湯が所定日数以上であるとき、特定使用条件を満たしているとして、処理をステップＳ１２０に移行する。
【００６６】
ステップＳ１２０で、記憶部５０は、特定用途に使用された湯量を、過去の使用実績に加えて記憶する。特定用途に使用された湯量は、上述したステップＳ５０で算出したものである。これにより、翌日以降、制御部１１は、特定用途に使用された湯量が加えられた過去の使用実績に対応した湯量が貯湯タンク４に貯留されるように、加熱部３を駆動して貯湯タンク４の沸き上げを行う。したがって、翌日以降、貯湯タンク４の湯切れが生じることが抑制される。
【００６７】
ステップＳ１２０で特定用途に使用された湯量が過去の使用実績に反映されたことは、リモコン５１および通信機器５２に設けられた表示部としてのモニタ５３に表示される。
【００６８】
なお、ステップＳ１２０において特定用途に使用された湯量が過去の使用実績に加えられた場合、その特定用途の給湯は、上述したステップＳ１０に関しては特定用途の給湯に含めないものとする。
【００６９】
これに対し、上述したステップＳ１１０で記憶部５０は、特定用途の給湯が、所定日数より少ないとき、特定使用条件を満たしていないとして、処理をステップＳ１３０に移行する。ステップＳ１３０で記憶部５０は、特定用途に使用された湯量を過去の使用実績に加えることはない。これにより、翌日以降、制御部１１は、特定用途に使用された湯量を加えていない過去の使用実績に対応する湯量が貯湯タンク４に貯留されるように、加熱部３を駆動して貯湯タンク４の沸き上げを行う。したがって、翌日以降、貯湯タンク４に沸き上げられた湯が無駄になることが抑制される。
【００７０】
なお、ステップＳ１３０において特定用途に使用された湯量が過去の使用実績に加えられない場合、その特定用途の給湯は、上述したステップＳ１０に関して特定用途の給湯に含めるものとする。
【００７１】
上述した記憶部５０による翌日以降の湯の沸き上げ量および湯温の設定に関し、ステップＳ１１０で説明した特定使用条件に代えて、次に説明する特定使用条件を用いた判定を行ってもよい。
【００７２】
特定使用条件の一例として、所定期間内における特定用途の給湯回数が所定回数より多いことをその条件としてもよい。この場合、ステップ１１０で、記憶部５０は、特定用途の給湯回数が所定回数より多いとき、処理をステップＳ１２０に移行する。これに対し、ステップ１１０で、記憶部５０は、特定用途の給湯回数が所定回数より少ないとき、処理をステップＳ１３０に移行する。
【００７３】
また、特定使用条件の他の例として、特定用途の給湯に使用した熱量が所定の熱量より多いことをその条件としてもよい。この場合、ステップ１１０で、記憶部５０は、特定用途の給湯に使用した熱量が所定の熱量より多いとき、処理をステップＳ１２０に移行する。これに対し、ステップ１１０で、記憶部５０は、特定用途の給湯に使用した熱量が所定の熱量より少ないとき、処理をステップＳ１３０に移行する。
【００７４】
このようにしても、この貯湯式給湯装置１は、翌日以降、貯湯タンク４の湯切れが生じることを抑制可能であると共に、貯湯タンク４に沸き上げられた湯が無駄になることを抑制可能である。
【００７５】
以上説明した第１実施形態の貯湯式給湯装置１は、次の作用効果を奏する。
【００７６】
（１）第１実施形態では、制御部１１は、特定用途の給湯が行われることが検知されたとき、特定用途の給湯が開始された時の貯湯タンク４の湯量が貯湯タンク４に貯留されるように加熱部３を駆動して貯湯タンク４の湯の沸き上げを行う。
【００７７】
これにより、特定用途の給湯が行われたとき、貯湯タンク４の湯の沸き上げが行われることで、貯湯タンク４の湯量は、特定用途の給湯が開始された時の湯量に戻される。これにより、特定用途の給湯が行われた場合でも、その後、当日のうちに日常用途に使用する湯量が貯湯タンク４に確保される。したがって、この貯湯式給湯装置１は、特定用途の給湯が使用された当日に、貯湯タンク４内の湯が不足するいわゆる湯切れを抑制することができる。
【００７８】
（２）第１実施形態では、制御部１１は、特定用途の給湯が行われているときに、加熱部３を駆動して貯湯タンク４の湯の沸き上げを行う。
【００７９】
これによれば、特定用途の給湯と貯湯タンク４の湯の沸き上げとを同時進行で行うことが可能である。そのため、特定用途の給湯に大量の湯が使用された場合、または、特定用途の給湯と同時またはその直後に日常用途の給湯が行われた場合でも、貯湯タンク４の湯切れが生じることを抑制することができる。
【００８０】
（３）第１実施形態では、制御部１１は、特定用途の給湯が行われることが検知されて所定時間経過した後に、加熱部３を駆動して貯湯タンク４の湯の沸き上げを行うことも可能である。これによれば、貯湯タンク４の残湯量に余裕があり、且つ、特定用途の給湯に使用される湯量が少ない場合には、加熱部３の駆動を行うことなく、加熱部３が消費するエネルギを低減することができる。
【００８１】
（４）第１実施形態では、制御部１１は、特定用途の給湯が終了した後も継続して加熱部３を駆動して貯湯タンク４の湯の沸き上げを行う。
【００８２】
これによれば、特定用途の給湯が終了した時に日常用途に使用する湯量が貯湯タンク４に不足している場合でも、加熱部３の継続した駆動により日常用途に使用する湯量が貯湯タンク４に確保される。したがって、貯湯タンク４の湯切れを抑制することができる。
【００８３】
（５）第１実施形態では、特定用途の給湯が行われることを検知するための特定用途検知部は、特定給湯回路８を流れる湯の流量を検知する第２流量カウンタ３１、または特定給湯回路８の湯の流れを検知するフローセンサである。
【００８４】
これによれば、特定用途検知部として第２流量カウンタ３１を適用した場合、制御部１１は、特定用途の給湯が行われていることと、その給湯に使用される湯の流量を検知することが可能である。
【００８５】
一方、特定用途検知部としてフローセンサを適用した場合、制御部１１は、特定用途の給湯が行われている時間を検知することが可能である。
【００８６】
（６）第１実施形態では、特定用途検知部は、特定給湯回路８を使用した給湯を行うときにユーザが操作する特定用途スイッチ４６である。
【００８７】
これによれば、特定用途検知部として特定用途スイッチ４６を適用した場合、制御部１１は、ユーザの操作により特定用途の給湯が行われることを検知することが可能である。
【００８８】
（７）第１実施形態では、制御部１１は、特定用途スイッチ４６がオンされたときから給湯が自動停止するまでの間、特定用途の給湯が行われていることを検知する。
【００８９】
これによれば、特定用途の給湯が定量止水式のものである場合、制御部１１は、特定用途の給湯が行われている時間を検知することができる。
【００９０】
（８）第１実施形態では、制御部１１は、特定用途スイッチ４６がオンされたときからオフされるまでの間、特定用途の給湯が行われていることを検知する。
【００９１】
これによれば、特定用途スイッチ４６のオン、オフで、特定用途の給湯の開始と停止が制御されるものである場合、制御部１１は、特定用途の給湯が行われている時間を検知することができる。
【００９２】
（９）第１実施形態では、記憶部５０は、特定用途の給湯が特定使用条件を満たさないとき、特定用途に使用された湯量を過去の使用実績に加えることはない。一方、記憶部５０は、特定用途の給湯が特定使用条件を満たしたとき、特定用途に使用された湯量を過去の使用実績に加えて記憶する。
【００９３】
これによれば、特定用途の給湯の使用が低頻度である場合や湯量が少ない場合、その湯量を過去の使用実績に加えないことで、翌日以降に貯湯タンク４に沸き上げた湯が無駄になることを防ぐことができる。一方、特定用途の給湯の使用が高頻度であり且つ湯量が多い場合、その湯量を過去の使用実績に加えて記憶することで、翌日以降に貯湯タンク４に湯切れが生じることを抑制することができる。したがって、この貯湯式給湯装置１は加熱部３による貯湯タンク４の湯の沸き上げ量を適切なものとすることができる。
【００９４】
（１０）第１実施形態では、特定使用条件は、特定用途の給湯回数が所定回数より多いこと、特定用途の給湯日数が所定日数より多いこと、または、特定用途の給湯に使用した熱量が所定の熱量より多いこと、のうち少なくとも１つである。
【００９５】
これによれば、使用頻度および熱量に関する特定使用条件を具体的かつ適切に設定することが可能である。
【００９６】
（１１）第１実施形態では、表示部は、特定用途の給湯が行われていることを表示する。
【００９７】
これによれば、ユーザは、特定用途の給湯が行われているか否かを確認することができる。
【００９８】
（１２）第１実施形態では、表示部は、貯湯タンク４の湯の沸き上げが行われていることを表示する。
【００９９】
これによれば、ユーザは、加熱部３が駆動しているか否かを確認することができる。
【０１００】
（１３）第１実施形態では、表示部は、特定用途の給湯が特定使用条件を満たしたか否かを表示する。
【０１０１】
これによれば、ユーザは、特定用途の給湯に使用された湯量が過去の使用実績に加わるか否か、すなわち、特定用途の給湯に使用された湯量が翌日以降の貯湯タンク４の湯の沸き上げ量に反映されるか否かを確認することができる。
【０１０２】
（第２実施形態）
第２実施形態について説明する。第２実施形態は、第１実施形態に対して沸き上げ制御に関する処理を変更したものであり、その他については第１実施形態と同様であるため、第１実施形態と異なる部分についてのみ説明する。
【０１０３】
第２実施形態における貯湯タンク４の沸き上げ制御について、図７のフローチャートを参照して説明する。
【０１０４】
ステップＳ１０からステップＳ５０までは、第１実施形態で説明した処理と同一である。ステップＳ６１で、制御部１１は、ステップＳ３０以降に加熱部３によって沸き上げられた湯熱量が、ステップＳ５０で算出された湯熱量以上となったか否かを判定する。ステップＳ５０で算出された湯熱量とは、特定用途の給湯開始時から終了時までの間にその特定用途の給湯に使用された湯熱量である。ステップＳ６１において、制御部１１は、加熱部３によって沸き上げられた湯熱量が、特定用途の給湯開始時から終了時までの間にその特定用途の給湯に使用された湯熱量以上となると、処理をステップＳ７０に移行する。ステップＳ７０で、制御部１１は、加熱部３の駆動を停止する。
【０１０５】
これにより、制御部１１は、特定用途の給湯に使用された湯量を補うように加熱部３を駆動し、貯湯タンク４の湯の沸き上げを行うことが可能である。このようにすれば、特定用途の給湯と日常用途の給湯とが同時に行われた場合でも、制御部１１は、日常用途の給湯に使用された湯量を除き、特定用途の給湯に使用された湯量のみを補うことが可能である。したがって、貯湯式給湯装置１は、加熱部３に消費されるエネルギを低減し、貯湯タンク４に沸き上げた湯が無駄になることを抑制することができる。
【０１０６】
（他の実施形態）
（１）上記実施形態では、日常用途の給湯として、例えばシャワーまたは炊事などを例示した。これに対し、日常用途の給湯は上記に限られず、ユーザが日常的に湯を使用する種々の用途が該当する。
【０１０７】
一方、特定用途の給湯として、例えば屋外での洗車、レジャー用品の洗浄、または、日常的に湯張りを行わないユーザに関する風呂の湯張りを例示した。これに対し、特定用途の給湯も上記に限られず、ユーザが日常的に湯を使用する用途とは異なる種々の用途が該当する。
【０１０８】
（２）上記実施形態では、貯湯ユニット２の特定給湯口２８の近傍に特定用途スイッチ４６を設置した。これに対し、特定用途スイッチ４６は、リモコン５１または通信機器５２等に設けてもよい。
【０１０９】
本発明は上記した実施形態に限定されるものではなく、特許請求の範囲に記載した範囲内において適宜変更が可能である。また、上記実施形態は、互いに無関係なものではなく、組み合わせが明らかに不可な場合を除き、適宜組み合わせが可能である。また、上記実施形態において、実施形態を構成する要素は、特に必須であると明示した場合および原理的に明らかに必須であると考えられる場合等を除き、必ずしも必須のものではないことは言うまでもない。また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記実施形態において、構成要素等の形状、位置関係等に言及するときは、特に明示した場合および原理的に特定の形状、位置関係等に限定される場合等を除き、その形状、位置関係等に限定されるものではない。
【０１１０】
（まとめ）
上述の実施形態の一部または全部で示された第１の観点によれば、貯湯式給湯装置は、加熱部により沸き上げて貯湯タンクに貯留した湯を給湯に使用することの可能な貯湯式給湯装置であり、給湯検知部、特定用途検知部、残湯量検出部、記憶部および制御部を備える。給湯検知部は、給湯が行われることを検知する。特定用途検知部は、日常用途とは異なる特定用途の給湯が行われることを検知する。残湯量検出部は、貯湯タンクの湯量を検出する。記憶部は、給湯に使用された湯量を所定期間学習し、その学習した湯量を過去の使用実績として記憶する。制御部は、過去の使用実績に対応する湯量が貯湯タンクに貯留されるように所定時間に加熱部を駆動して貯湯タンクの沸き上げを行う。また、制御部は、特定用途検知部により特定用途の給湯が行われることが検知されたとき、特定用途の給湯が開始された時の貯湯タンクの湯量が貯湯タンクに貯留されるように加熱部を駆動して貯湯タンクの湯の沸き上げを行う。
【０１１１】
第２の観点によれば、制御部は、特定用途の給湯が行われているときに、加熱部を駆動して貯湯タンクの湯の沸き上げを行う。
【０１１２】
これによれば、特定用途の給湯と貯湯タンクの湯の沸き上げとを同時進行で行うことが可能である。そのため、特定用途の給湯に大量の湯が使用された場合、または、特定用途の給湯と同時またはその直後に日常用途の給湯が行われた場合でも、貯湯タンクの湯切れが生じることを抑制することができる。
【０１１３】
なお、制御部は、特定用途の給湯が行われることが検知されて所定時間経過した後に、加熱部を駆動して貯湯タンクの湯の沸き上げを行うことも可能である。これによれば、特定用途の給湯に使用される湯量が少ない場合には、加熱部の駆動を行うことなく、加熱部が消費するエネルギを低減することができる。
【０１１４】
第３の観点によれば、制御部は、特定用途の給湯が終了した後も継続して加熱部を駆動して貯湯タンクの湯の沸き上げを行う。
【０１１５】
これによれば、特定用途の給湯が終了した時に日常用途に使用する湯量が貯湯タンクに不足している場合でも、加熱部の継続した駆動により日常用途に使用する湯量が貯湯タンクに確保される。したがって、貯湯タンクの湯切れを抑制することができる。
【０１１６】
第４の観点によれば、貯湯式給湯装置は、特定用途に使用される湯が流れる特定給湯回路をさらに備える。特定用途検知部は、特定給湯回路を流れる湯の流量を検知する流量カウンタ、または特定給湯回路の湯の流れを検知するフローセンサである。
【０１１７】
これによれば、特定用途検知部として流量カウンタを適用した場合、制御部は、特定用途の給湯が行われていることと、その給湯に使用される湯の流量を検知することが可能である。
【０１１８】
一方、特定用途検知部としてフローセンサを適用した場合、制御部は、特定用途の給湯が行われている時間を検知することが可能である。
【０１１９】
第５の観点によれば、貯湯式給湯装置は、特定用途に使用される湯が流れる特定給湯回路をさらに備える。特定用途検知部は、特定給湯回路を使用した給湯を行うときにユーザが操作する特定用途スイッチである。
【０１２０】
これによれば、特定用途検知部として特定用途スイッチを適用した場合、制御部は、ユーザの操作により特定用途の給湯が行われることを検知することが可能である。
【０１２１】
第６の観点によれば、制御部は、特定用途スイッチがオンされたときから給湯が自動停止するまでの間、特定用途の給湯が行われていることを検知する。
【０１２２】
これによれば、特定用途の給湯が定量止水式のものである場合、制御部は、特定用途の給湯が行われている時間を検知することができる。
【０１２３】
第７の観点によれば、制御部は、特定用途スイッチがオンされたときからオフされるまでの間、特定用途の給湯が行われていることを検知する。
【０１２４】
これによれば、特定用途の給湯の開始と停止が特定用途スイッチのオン、オフで制御されるものである場合、制御部は、特定用途の給湯が行われている時間を検知することができる。
【０１２５】
第８の観点によれば、貯湯式給湯装置は、特定用途に使用される湯が流れる特定給湯回路をさらに備える。特定用途検知部は、特定給湯回路を流れる湯の流量を検知する流量カウンタである。制御部は、特定用途検知部により特定用途の給湯が行われることが検知されたとき、特定用途の給湯に使用された湯量を補うように加熱部を駆動して貯湯タンクの湯の沸き上げを行う。
【０１２６】
これによれば、特定用途の給湯と日常用途の給湯とが同時に行われた場合でも、制御部は、日常用途の給湯に使用された湯量を除き、特定用途の給湯に使用された湯量を補うように貯湯タンクの湯の沸き上げを行うことが可能である。
【０１２７】
第９の観点によれば、記憶部は、特定用途検知部により検知される特定用途の給湯が使用頻度および熱量に関する特定使用条件を満たさないとき、特定用途に使用された湯量を過去の使用実績に加えることはない。一方、記憶部は、特定用途検知部により検知される特定用途の給湯が特定使用条件を満たしたとき、特定用途に使用された湯量を過去の使用実績に加えて記憶する。
【０１２８】
これによれば、特定用途の給湯の使用が低頻度である場合や湯量が少ない場合、その湯量を過去の使用実績に加えないことで、翌日以降に貯湯タンクに沸き上げた湯が無駄になることを防ぐことができる。一方、特定用途の給湯の使用が高頻度であり且つ湯量が多い場合、その湯量を過去の使用実績に加えて記憶することで、翌日以降に貯湯タンクに湯切れが生じることを抑制することができる。したがって、この貯湯式給湯装置は加熱部による貯湯タンクの湯の沸き上げ量を適切なものとすることができる。
【０１２９】
第１０の観点によれば、貯湯式給湯装置は、加熱部により沸き上げて貯湯タンクに貯留した湯を給湯に使用することの可能な貯湯式給湯装置であり、給湯検知部、特定用途検知部、残湯量検出部、記憶部および制御部を備える。給湯検知部は、給湯が行われることを検知する。特定用途検知部は、日常用途とは異なる特定用途の給湯が行われることを検知する。残湯量検出部は、貯湯タンクの湯量を検出する。記憶部は、給湯に使用された湯量を所定期間学習し、その学習した湯量を過去の使用実績として記憶する。制御部は、過去の使用実績に対応する湯量が貯湯タンクに貯留されるように所定時間に加熱部を駆動して貯湯タンクの沸き上げを行う。ここで、記憶部は、特定用途検知部により検知される特定用途の給湯が使用頻度および熱量に関する特定使用条件を満たさないとき、特定用途に使用された湯量を過去の使用実績に加えることはしない。一方、記憶部は、特定用途検知部により検知される特定用途の給湯が特定使用条件を満たしたとき、特定用途に使用された湯量を過去の使用実績に加えて記憶する。
【０１３０】
これによれば、特定用途の給湯の使用が低頻度である場合や湯量が少ない場合、その湯量を過去の使用実績に加えないことで、翌日以降に貯湯タンクに沸き上げた湯が無駄になることを防ぐことができる。一方、特定用途の給湯の使用が高頻度であり且つ湯量が多い場合、その湯量を過去の使用実績に加えて記憶することで、翌日以降に貯湯タンクに湯切れが生じることを抑制することができる。したがって、この貯湯式給湯装置は加熱部による貯湯タンクの湯の沸き上げ量を適切なものとすることができる。
【０１３１】
第１１の観点によれば、特定使用条件は、特定用途の給湯回数が所定回数より多いこと、特定用途の給湯日数が所定日数より多いこと、または、特定用途の給湯に使用した熱量が所定の熱量より多いこと、のうち少なくとも１つである。
【０１３２】
これによれば、使用頻度および熱量に関する特定使用条件を具体的かつ適切に設定することが可能である。
【０１３３】
第１２の観点によれば、貯湯式給湯装置は、特定用途の給湯が行われていることを表示する表示部をさらに備える。
【０１３４】
これによれば、ユーザは、特定用途の給湯が行われているか否かを確認することができる。
【０１３５】
第１３の観点によれば、貯湯式給湯装置は、貯湯タンクの湯の沸き上げが行われていることを表示する表示部を備える。
【０１３６】
これによれば、ユーザは、加熱部が駆動しているか否かを確認することができる。
【０１３７】
第１４の観点によれば、貯湯式給湯装置は、特定用途の給湯が特定使用条件を満たしたか否かを表示する表示部を備える。
【０１３８】
これによれば、ユーザは、特定用途の給湯に使用された湯量が過去の使用実績に加わるか否か、すなわち翌日以降の貯湯タンクの湯の沸き上げ量に反映されるか否かを確認することができる。
【符号の説明】
【０１３９】
１    貯湯式給湯装置
３    加熱部
４    貯湯タンク
１１  制御部
１３  温度センサ
３０  第１流量カウンタ
３１  第２流量カウンタ
３９  第３流量カウンタ
４６  特定用途スイッチ
５０  記憶部
【図１】
2018071952.tif 000003
【図２】
2018071952.tif 000004
【図３】
2018071952.tif 000005
【図４】
2018071952.tif 000006
【図５】
2018071952.tif 000007
【図６】
2018071952.tif 000008
【図７】
2018071952.tif 000009